(57)【要約】【課題】照明態様を切り替え可能に構成された照明装置を提供する。【解決手段】光源と、相対する一対の板面を有し、前記光源からの光を前記一対の板面の間で内面反射を繰り返して導光させる少なくとも一対の導光板と、前記導光板ごとに、前記一対の板面のうち少なくとも一方の板面に設けられ、前記導光板内を前記内面反射する光の一部を偏向させることで前記導光板の外部に出射させる光偏向面と、を備える。【選択図】図２
2012248443.tif 000002
【特許請求の範囲】
【請求項１】
光源と、
相対する一対の板面を有し、前記光源からの光を前記一対の板面の間で内面反射を繰り返して導光させる少なくとも一対の導光板と、
前記導光板ごとに、前記一対の板面のうち少なくとも一方の板面に設けられ、前記導光板内を前記内面反射する光の一部を偏向させることで前記導光板の外部に出射させる光偏向面と、
を備えた照明装置。
【請求項２】
前記光偏向面は、前記導光板ごとに位置、広さ、もしくは形状、またはそれらの組み合わせを異にし、
前記光源は、前記光を前記導光板ごとに選択的に入射させる構成を有することを特徴とする請求項１に記載の照明装置。
【請求項３】
前記光は、前記一対の板面それぞれの内面で全反射することを特徴とする請求項１またな請求項２に記載の照明装置。
【請求項４】
前記一対の導光板は平行に配置され、
前記導光板のうちの少なくともの一つの導光板に設けられた前記光偏向面は、他の導光板のうちの少なくとも一つと対向する側に設けられることを特徴とする請求項１乃至請求項３のいずれかに記載の照明装置。
【請求項５】
前記光源は、前記導光板の端面に沿って複数配列され、当該配列方向に広がる前記光を出力し、
前記光偏向面は、隣り合う前記光源からの光が初めて交差する位置よりも、前記光源から遠い側に設けられていることを特徴とする請求項１乃至請求項４のいずれかに記載の照明装置。
【発明の詳細な説明】
【技術分野】
【０００１】
この発明は、照明装置に関し、特に、導光板を発光させることで導光板の少なくとも一の面に対向する空間を照明する照明装置に関する。
【背景技術】
【０００２】
建物に取り付けられる一般的な窓は、屋外からの外光を取り入れるとともに、閉じることで風雨の進入を防ぎ、また適宜開放して換気を行うものである。ところで、近年では、窓自体に照明機能を持たせようとする試みが行われている。例えば、特許文献１には、窓台に凹部を設けて、その凹部内に発光部を配置し、この発光部から光を平面板の下端部から入射させることで、その平面板を面発光させる技術が開示されている。
【先行技術文献】
【特許文献】
【０００３】
【特許文献１】特開２００７−３１５０７３号公報
【発明の概要】
【発明が解決しようとする課題】
【０００４】
一方で、平面板の板面上の異なる領域を発光させたり、発光領域の広さやパターンを切り替えて発光させたりすることで、照明シーンにあわせて異なる態様で照明可能とすることが望まれている。しかしながら、特許文献１に記載の発明では、照明態様を切り替え可能に構成されてはいない。一部の発光部のみを発光させることは可能であるが、発光部からの光は平面板内を所定の放射角を持って広がりながら導かれるため、所定の領域のみを発光させることが困難なためである。即ち、照明シーンにあわせて様々な態様で照明を行うことは困難である。
【０００５】
本発明は、照明態様を切り替え可能に構成された照明装置を提供することを目的とする。
【課題を解決するための手段】
【０００６】
請求項１に記載の発明は、光源と、相対する一対の板面を有し、前記光源からの光を前記一対の板面の間で内面反射を繰り返して導光させる少なくとも一対の導光板と、前記導光板ごとに、前記一対の板面のうち少なくとも一方の板面に設けられ、前記導光板内を前記内面反射する光の一部を偏向させることで前記導光板の外部に出射させる光偏向面と、を備えた照明装置である。
また、請求項２に記載の発明は、請求項１に記載の照明装置であって、前記光偏向面は、前記導光板ごとに位置、広さ、もしくは形状、またはそれらの組み合わせを異にし、前記光源は、前記光を前記導光板ごとに選択的に入射させる構成を有することを特徴とする。
また、請求項３に記載の発明は、請求項１またな請求項２に記載の照明装置であって、前記光は、前記一対の板面それぞれの内面で全反射することを特徴とする。
また、請求項４に記載の発明は、請求項１乃至請求項３のいずれかに記載の照明装置であって、前記一対の導光板は平行に配置され、前記導光板のうちの少なくともの一つの導光板に設けられた前記光偏向面は、他の導光板のうちの少なくとも一つと対向する側に設けられることを特徴とする。
また、請求項５に記載の発明は、請求項１乃至請求項４のいずれかに記載の照明装置であって、前記光源は、前記導光板の端面に沿って複数配列され、当該配列方向に広がる前記光を出力し、前記光偏向面は、隣り合う前記光源からの光が初めて交差する位置よりも、前記光源から遠い側に設けられていることを特徴とする。
【発明の効果】
【０００７】
この発明に係る照明装置は、導光板内を内面反射することで導かれる光の一部を光偏向面により偏向させて、その光を導光板の外部に出射させる。光偏向面は、導光板ごとに設けることが可能なため、光源からの光を導光板ごとに選択的に入射させることで、光を入射させた導光板ごとに異なる態様で面発光させることが可能となる。即ち、この発明に係る照明装置によれば、照明シーンにあわせて光を入射させる導光板を切り替えることにより、異なる態様で照明することが可能となる。
【図面の簡単な説明】
【０００８】
【図１】本発明に係る照明装置の正面図である。
【図２】本発明に係る照明装置を図１におけるＩＩ−ＩＩで切断した概略断面図である。
【図３】光偏向面により導光板内を導かれる光が偏向される様子を説明するための図である。
【図４】光偏向面を設置する位置の導出方法の一例について説明するための図である。
【図５】光偏向構造により導光板内を導かれる光が偏向される様子を説明するための図である。
【図６】この発明に係る照明装置の一態様を示した正面図である。
【発明を実施するための形態】
【０００９】
本発明に係る照明装置は、内装窓に照明機能を付加し、内装窓の平面板を面発光させる。本発明に係る照明装置について、図１及び図２を参照しながら説明する。なお、本発明に係る照明装置について説明するにあたり、図１に示す正面図の横方向をｘ方向、高さ方向をｚ方向とし、ｘ方向及びｚ方向に直交する奥行き方向をｙ方向とする。即ち、図２は、本発明に係る照明装置を、図１にＩＩ−ＩＩで示されたｙｚ平面で切断した概略断面図を示している。
【００１０】
図１に示すように、本発明に係る照明装置は、窓枠１と、導光板３Ａ及び３Ｂと、照明ユニット４２と、電源ユニット４３とを含んで構成されている。
【００１１】
窓枠１は、窓枠上部１１と、窓枠下部１２と、窓枠側部１３とを備えている。窓枠上部１１と窓枠下部１２とは対向し、窓枠側部１３は、対向する窓枠上部１１の端部近傍と窓枠下部１２の端部近傍との間のそれぞれを架設するように設けられている。図２に示すように、窓枠上部１１は、やや奥行きのある平面視長方形の板体である。窓枠上部１１と、窓枠下部１２と、窓枠側部１３とは、例えば、アルミ等の金属、木材、または不透明樹脂により形成することが可能である。
【００１２】
図１に示すように、窓枠１の内面部、即ち、窓枠上部１１、窓枠下部１２、及び窓枠側部１３の内面部には、周溝２Ａ及び２Ｂが設けられている。また、図２に示すように、周溝２Ａ及び２Ｂは、ｙ方向に所定の間隔をもって形成されている。
【００１３】
図１に示すように、導光板３Ａは、例えば長方形の平板形状を成し、表面３４と、裏面３５Ａと、表面３４及び裏面３５Ａの周囲に設けられた上部端面３１、下部端面３２、及び側部端面３３とを含んで構成される。また、裏面３５Ａ上には、発光領域３６Ａが設けられている。発光領域３６Ａには、光偏向面５Ａが設けられている。光偏向面５Ａの詳細については後述する。導光板３Ａの上部端面３１、下部端面３２、及び側部端面３３は、周溝２Ａに嵌合可能に構成されている。それにより、導光板３Ａの上部端面３１、下部端面３２、及び側部端面３３を、周溝２Ａに係合させることが可能である。この係合によって、導光板３Ａが窓枠１に取り付けられる。
【００１４】
同様に、導光板３Ｂは、表面３４と、裏面３５Ｂと、表面３４及び裏面３５Ｂの周囲に設けられた上部端面３１、下部端面３２、及び側部端面３３とを含んで構成される。また、裏面３５Ｂ上には、発光領域３６Ｂが設けられている。発光領域３６Ｂには、光偏向面５Ｂが設けられている。光偏向面５Ｂの詳細については後述する。導光板３Ｂの上部端面３１、下部端面３２、及び側部端面３３は、周溝２Ｂに嵌合可能に構成されている。導光板３Ｂの上部端面３１、下部端面３２、及び側部端面３３を、周溝２Ｂに係合させることで、導光板３Ｂが窓枠１に取り付けられる。
【００１５】
なお、導光板３Ａ及び３Ｂは、導光板３Ａの裏面３５Ａと導光板３Ｂの裏面３５Ｂとが対向するように窓枠１に取り付けられることがより好ましい。このように取り付けることで、光偏向面５Ａ及び５Ｂは、導光板３Ａ及び３Ｂにより形成される内側の空間に設けられることになる。この内側の空間は、導光板３Ａ及び３Ｂにより物理的に守られているため、塵や埃等により汚れにくく、掃除等による光偏向面５Ａ及び５Ｂの剥離を防止することも可能である。以降では、この内側の空間に光偏向面５Ａ及び５Ｂが設けられるものとして説明する。
【００１６】
導光板３Ａ及び３Ｂは、光を透過可能な透光性を有する薄板である。導光板３Ａ及び３Ｂは、上部端面３１、下部端面３２、及び側部端面３３のいずれかの端部から光が入射すると、表面３４と裏面３５との間で内面反射（全反射）させることで、入射した光を反対側の端部に導く。導光板３Ａ及び３Ｂには、例えば、アクリルやポリカーボネートなどの樹脂、またはガラス等が採用される。なお、以降では、導光板３Ａ及び３Ｂを特に区別しない場合、単に「導光板３」と記載する場合がある。この場合には、光偏向面５Ａ及び５Ｂについても、特に区別せずに単に「光偏向面５」と記載する場合がある。同様に、裏面３５Ａ及び３５Ｂを、単に「裏面３５」と記載し、発光領域３６Ａ及び３６Ｂを、単に「発光領域３６」と記載する場合がある。また、表面３４及び裏面３５が、「一対の板面」に相当する。
【００１７】
図１に示すように、導光板３Ａ及び３Ｂは、ｚ方向にＷ１の高さを有し、ｘ方向にＷ２の幅を有する。また、図２に示すように、導光板３Ａ及び３Ｂは、ｙ方向にＷ３の厚さを有する。導光板３Ａ及び３Ｂには、一般的には、高さＷ１が１５ｃｍ〜２００ｃｍ、幅Ｗ２が１５ｃｍ〜２００ｃｍ、厚さＷ３が０．５ｃｍ〜３ｃｍのものが使われる。なお、上部端面３１、下部端面３２、及び側部端面３３のいずれかの端部から入射した光を反対側の端部に導くことが可能であれば、導光板３Ａ及び３Ｂの寸法、即ち、Ｗ１、Ｗ２、及びＷ３は、上記には限定されない。
【００１８】
また、導光板３Ａ及び３Ｂは、表面３４及び裏面３５が長方形である平板形状を成しているが、表面３４及び裏面３５の形状は長方形に限定されない。表面３４及び裏面３５の周辺に設けられた端面のうちの一部に入射した光を反対側の一部に導けば、表面３４及び裏面３５の形状は限定されない。例えば、導光板３Ａ及び３Ｂは、表面３４及び裏面３５が円形である平面形状でもよい。また、導光板３Ａ及び３Ｂは、平板形状に限らず、例えば柱状のものを用いてもよい。この場合、柱状の導光板３Ａ及び３Ｂの側面に光偏向面５を設ければよい。
【００１９】
窓枠上部１１には、図１及び図２に示すように、周溝２Ａ及び２Ｂ部分の裏側にｘ方向に長い形状の凹部１１１が設けられている。図２に示すように、凹部１１１Ａ内には、ｙ方向に凹部１１１Ａの幅に略等しい幅を有し、ｘ方向に長い形状の照明ユニット４２が係合して収められている。同様に、凹部１１１Ｂ内にも、ｙ方向に凹部１１１Ｂの幅に略等しい幅を有し、ｘ方向に長い形状の照明ユニット４２が係合して収められている。また、照明ユニット４２には、光源４１が設けられている。光源４１は、導光板３Ａまたは３Ｂの上部端面３１に対向して配置されている。光源４１には、例えばＬＥＤ（Ｌｉｇｈｔ  Ｅｍｉｔｔｉｎｇ  Ｄｉｏｄｅ）が用いられ、この場合には、照明ユニット４２の長軸方向（即ち、ｘ方向）に複数個を等間隔で並べて照明ユニット４２に配設する。なお、この場合は、上部端面３１が「端面の一部」に相当する。
【００２０】
このように光源４１を設けることで、光源４１から出射した光を、導光板３Ａ及び３Ｂの上部端面３１それぞれに照射することが可能となる。なお、光源４１には、ＬＥＤ以外を用いてもよく、その態様に応じて、導光板３Ａ及び３Ｂの上部端面３１それぞれに光を照射できるように配置すればよい。また、光源４１から出射した光を必ずしも導光板３Ａ及び３Ｂの上部端面３１から入射させる必要はなく、下部端面３２、側部端面３３、表面３４または裏面３５から入射させてもよい。
【００２１】
また、照明ユニット４２用の電源ユニット４３が、照明ユニット４２と同じく凹部１１１Ａ内及び１１１Ｂ内のそれぞれに納められている。電源ユニット４３は、光源４１のＯＮ／ＯＦＦを、照明ユニット４２ごとに切り替え可能に構成されている。これにより、光源４１からの光を、導光板３ごとに選択的に入射させることが可能となる。凹部１１１Ａ及び１１１Ｂは、さらに、照明ユニット４２及び電源ユニット４３が納められた後の残りの空間を、照明ユニット４２への電源供給線の余長部分を納める空間として利用することが可能である。
【００２２】
次に、光偏向面５Ａ及び５Ｂについて、光偏向面５Ａを例に説明する。光偏向面５Ａは、この例では、導光板３Ａの裏面３５上における発光領域３６Ａに散乱剤を塗布することで設けられる。散乱剤は、入射した光の方向をランダムな方向に偏向させる（即ち、散乱させる）。光偏向面５Ａとして用いられる散乱剤としては、例えば、酸化チタン（ＴｉＯ２）、炭酸カルシウム（ＣａＣＯ３）、各種顔料系インク、または樹脂微粒子等が用いられる。
【００２３】
ここで、図３を参照する。図３は、光偏向面５Ａにより導光板３Ａ内を導かれる光が偏向される様子を説明するための図であり、導光板３Ａ内を導かれる光の光路を示している。なお、図３では、説明のため、導光板３Ａ内を導かれる光束の一部の光路を単一の線で模擬的に示している。光路Ｌ１で示すように、上部端面３１から導光板３Ａ内に入射した光は、表面３４の内面３４’と、裏面３５の内面３５’との間を、内面反射を繰り返しながら下部端面３２に向けて導かれる。このとき、導光板３Ａ内に入射した光は、内面３４’及び３５’のそれぞれで全反射する。
【００２４】
光路Ｌ２で示すように、導光板３Ａ内に入射した光は、光偏向面５Ａが設けられた領域に入射した場合、光偏向面５Ａにより偏向される。これにより、その光は、内面３５’で全反射せずに導光板３Ａの外部に出射する。具体的には、内面３５’の光偏向面５Ａが設けられた位置に入射した光は、光偏向面５Ａ内に入射する。光偏向面５Ａ内に入射した光は、散乱剤の粒子にぶつかることでランダムな方向に偏向される。このとき、導光板３Ａに入射した光のうち、導光板３Ａから光偏向面５Ａに向けた方向の一部は、光路Ｌ２ａで示すように裏面３５側に出射する。また、光偏向面５Ａで反射する方向の一部は、光路Ｌ２ｂで示すように表面３４側に出射する。この導光板３Ａの外部に出射した光により、光偏向面５Ａが設けられた近傍の空間が照明される。
【００２５】
導光板３Ａ及び３Ｂは、裏面３５上における設置位置や、広さ、もしくは形状、または、それらの組み合わせを異にするとよい。これにより、光源４１からの光を導光板３ごとに選択的に入射させることで、光を入射させた導光板３ごとに異なる態様で面発光させることが可能となる。
【００２６】
例えば、図１では、光偏向面５Ａをｚ方向の下方に設け、光偏向面５Ｂをｚ方向の上方に設けている。これにより、光源４１からの光を導光板３ごとに選択的に入射させることで、照明する場所を変更することが可能となる。具体的には、導光板３Ｂに光源４１からの光を入射させた場合には、この光が光偏向面５Ａから出射する。この光偏向面５Ａから出射した光により、窓枠上部１１の近傍（例えば、頭上）が照明される。また、導光板３Ａに光源４１からの光を入射させた場合には、この光が光偏向面５Ｂから出射する。この光偏向面５Ｂから出射した光により、窓枠下部１２の近傍（例えば、足元）が照明される。また、光偏向面５Ａ及び５Ｂの広さや形状を異にすることで、例えば、光源４１からの光を入射させる導光板３を切り替えることにより光量を変更することが可能となる。また、光源４１の光の色を、入射させる導光板３ごとに変更してもよい。このように、光源４１からの光を導光板３ごとに選択的に入射させることで、光を入射させた導光板３ごとに異なる態様で面発光させることが可能となる。また、光源４１からの光を導光板３ごとに選択的に入射させることで照明態様を切り替えるため、導光板３を付け替えることなく照明態様を切り替えることが可能となる。
【００２７】
なお、導光板３Ａの裏面３５Ａと、導光板３Ｂの裏面３５Ｂとが対向するように、導光板３Ａ及び３Ｂは設置されているため、光偏向面５Ａ及び５Ｂは、導光板３Ａと導光板３Ｂとの間の空間に設置される。これにより、光偏向面５Ａ及び５Ｂに塵や埃等が堆積することを防止し、塵や埃の掃除等により光偏向面５Ａ及び５Ｂが剥離することを抑止している。
【００２８】
また、下部端面３２を金属等でコーティングすることで下部端面３２に反射面を形成し、導光板３Ａ内を導かれる光を、下部端面３２に設けられた反射面で反射させるように構成してもよい。これにより、下部端面３２で反射した光も光偏向面５Ａに入射するようになるため、光偏向面５Ａから出射する光の光量を大きくすることが可能となる。一方で、下部端面３２に吸光材を塗布し、下部端面３２での光の反射を防止してもよい。下部端面３２で反射した光の一部は、内面３５’及び３６’で全反射せずに、下部端面３２近傍で導光板３Ａの外部に漏れる。下部端面３２に吸光材を塗布することで、この光を防止することが可能となる。
【００２９】
なお、光偏向面５Ａは、上部端面３１から下部端面３２に向けて複数の光源４１から出射した光がｘ方向に交差する位置（所定の距離以上離れた位置）に設けることが望ましい。この所定の距離の具体的な導出方法について、図４を参照しながら説明する。光偏向面５Ａを設置する位置の導出方法の一例について説明するための図である。図４では、ｙ方向に沿って照明ユニット４２に光源４１が複数配設されている場合の、光源４１の近傍の概略的な構成を示している。光源４１と上部端面３１の間には薄い空気層が存在する。
【００３０】
図４に示すように、隣り合う光源４１がｘ方向にｘ１の間隔をもって配設されている。また、光源４１から出射した光は、上部端面３１で屈折し、上部端面３１に入射する光は、ｚ軸に対してｘ方向にθｘの広がり角（照射角）を持って導光板３Ａ内を導光する。上部端面３１が光源４１の発光面に平行な平面である場合、θｘは臨界角に相当する。このとき、隣り合う光源４１から照射された光の内、広がり角の最も外側の光が、上部端面３１からｚ１（ｚ１＝２×ｘ１／ｔａｎθｘ）離れた位置で交差する。図４に示すように、上部端面３１からの距離がｚ１未満の領域は、光源４１からの光が照射されない領域を含む。そのため、この領域に光偏向面５Ａを設けると、光偏向面５Ａにより導光板３Ａの外部に出射する光にムラが生じる。そのため、光偏向面５Ａは、複数の光源４１からの光が交差する位置、即ち、上部端面３１からｚ方向にｚ１以上離れた位置に設けることが望ましい。このため、光偏光面５Ａから離れた側に光源４１を配置、例えば光偏光面５Ａを上部端面３１に近い位置に設ける場合は光源４１を下部端面３２側に配置すれば、導光板３Ａを均一に発光させることに効果的である。
【００３１】
なお、上記では光偏向面５Ａを例に説明したが、光偏向面５Ｂについても光偏向面５Ａと同様である。
【００３２】
また、光偏向面５Ａに替えて、図５に示すように光偏向構造６Ａを設けてもよい。図５は、光偏向構造６Ａにより導光板３Ａ内を導かれる光が偏向される様子を説明するための図であり、導光板３Ａ内を導かれる光の光路を示している。なお、図５では、説明のため、導光板３Ａ内を導かれる光束の一部の光路を単一の線で模擬的に示している。図５に示すように、光偏向構造６Ａは、裏面３５上に凸部（または凹部）を設けたものである。光路Ｌ１は、図３に示した光路Ｌ１と同様である。
【００３３】
光路Ｌ３で示すように、導光板３Ａ内に入射した光は、光偏向構造６Ａの凸部に入射した場合、この凸部により偏向される。これにより、その光は、内面３５’で全反射せずに導光板３Ａ外部に出射する。このとき、光路Ｌ３ａで示すように、光偏向構造６Ａの凸部に入射した光の一部は、凸部で内面反射せずに裏面３５側に出射する。これは、凸部に対する光の入射角が全反射の条件を満たさなくなるためである。また、光路Ｌ４aで示すように、凸部に入射した光の一部は、凸部で内面反射したうえで、内面３４’で内面反射せずに表面３４側に出射する。これは、凸部により反射されることで、内面３４’に対する光の入射角が全反射の条件を満たさなくなるためである。このようにして、導光板３Ａの外部に出射した光により、光偏向構造６Ａが設けられた近傍の空間が照明される。
【００３４】
このように、導光板３内を導かれる光を偏向させることで、導光板３の外部に出射させる構造であれば、光偏向面５や、光偏向構造６Ａの態様は上記に限定されない。例えば、図５の光偏向構造６Ａのように、一定のパターンの凹凸ではなく、例えば発光領域３６をすりガラス状にすることで、導光板３内を導かれた光を散乱させてもよい。
【００３５】
また、上記で示した例では、奥行き方向に導光板３Ａ及び３Ｂの２枚が設けられた例について説明したが、導光板を３枚以上設けてもよい。具体的には、光源４１、照明ユニット４２、及び電源ユニット４３と、導光板３と、光偏向面５とを１つの組として、この組を複数設ければよい。この組の数は、一の導光板３に設けられた光偏向面５から出射する光が、他の導光板３を透過することによる減衰を考慮し、所望の光量を得られる範囲で決定するとよい。
【００３６】
また、光源４１、照明ユニット４２、及び電源ユニット４３と、導光板３と、光偏向面５との組をｘ方向に並べて配設してもよい。例えば、図６は、これらの組をｘ方向に並べた場合の一例を示した正面図である。図６に示すように、窓枠側部１３を設けずに、光源４１を備えた照明ユニット４２、及び電源ユニット４３と、導光板３Ａ及び３Ｂとの組と、光源４１を備えた照明ユニット４２’、及び電源ユニット４３’と、導光板３Ａ’及び３Ｂ’との組とをｘ方向に並べて配設してもよい。このとき、導光板３Ａ、３Ａ’、３Ｂ、及び３Ｂ’は、窓枠上部１１と窓枠下部１２とにより支持される。
【００３７】
また、導光板３内への光の照射を導光板３ごとに切り替えられれば、光源４１、照明ユニット４２、及び電源ユニット４３の構成は限定されない。例えば、図２に示した構成において、導光板３Ａに光を照射する光源４１と、導光板３Ｂに光を照射する光源４１との間で、照明ユニット４２及び電源ユニット４３を共有してもよい。この場合、例えば、凹部１１１Ａ及び１１１Ｂを別々に設けず、一つの凹部として設けてもよい。また、上記では、光源４１のＯＮ／ＯＦＦを導光板３ごとに設けられた照明ユニット４２ごとに切り替えていたが、これに代わり、例えば遮光板等の光を遮る仕組みを利用して、光源４１からの光を導光板３ごとに選択的に入射させてもよい。
【００３８】
以上のように、本発明に係る照明装置は、導光板３内を内面反射することで導かれる光の一部を光偏向面５により偏向させて、その光を導光板３の外部に出射させる。光偏向面５は、導光板３ごとに設けることが可能である。また、導光板３Ａ及び３Ｂの、裏面３５上における設置位置や、広さ、もしくは形状、または、それらの組み合わせを異にすることが可能である。このような構成を有するため、本発明に係る照明装置は、光源４１からの光を導光板３ごとに選択的に入射させることで、光を入射させた導光板３ごとに異なる態様で面発光させることが可能となる。また、光源４１からの光を導光板３ごとに選択的に入射させることで照明態様を切り替えるため、導光板３を付け替えることなく照明態様を切り替えることが可能となる。
【符号の説明】
【００３９】
１  窓枠
１１  窓枠上部
１１１  凹部
１２  窓枠下部
１３  窓枠側部
２Ａ、２Ｂ  周溝
３、３Ａ、３Ｂ  導光板
３１  上部端面
３２  下部端面
３３  側部端面
３４  表面
３５、３５Ａ、３５Ｂ  裏面
３６  発光領域
４１  光源
４２  照明ユニット
４３  電源ユニット
５、５Ａ、５Ｂ  光偏向面
６Ａ  光偏向構造
【図１】
2012248443.tif 000003
【図２】
2012248443.tif 000004
【図３】
2012248443.tif 000005
【図４】
2012248443.tif 000006
【図５】
2012248443.tif 000007
【図６】
2012248443.tif 000008